(57)【要約】      （修正有） 【課題】扁平化可能とする形態に形成すると共に底面から水を漏らすことなく水捌けの良化が図られるようにした植木用ポットを提供する。【解決手段】矩形状を呈する合成樹脂製フィルム材で無底の袋状に形成したポット主体部Ｌの下周縁と、山型状に内側に折り込まれた底部形成用マチ部を具えたポットの底部形成用たる合成樹脂製フィルム材製の底部部材Ｎの上周縁との間に、透水性を有する合成樹脂製のネット状フィルム材で製した通水用部Ｍを全周に亘って帯状に連設すると共に、扁平状に折畳んだ状態で安定させるように構成する。【選択図】図１
0003172152.tif 000002
【実用新案登録請求の範囲】
【請求項１】
矩形状を呈する合成樹脂製フィルム材で無底の袋状に形成したポット主体部(Ａ)の下周縁と、山型状に内側に折り込まれた底部形成用マチ部(15)を具えたポットの底部形成用たる合成樹脂製フィルム材製の底部部材(Ｎ)の上周縁との間に、透水性を有する合成樹脂製のネット状フィルム材で製した通水用部(Ｍ)を全周に亘って帯状に連設すると共に、その全体が扁平折り畳み状態に保持されるように構成した植木用ポット。
【請求項２】
矩形状を呈する合成樹脂製フィルム材で無底の袋状に形成したポット主体部(Ａ)の下周縁と、山型状に内側に折り込まれた底部形成用マチ部(15)を具えたポットの底部形成用たる合成樹脂製フィルム材製の底部部材(Ｎ)の上周縁との間に、透水性を有する合成樹脂製のネット状フィルム材で製した通水用部(Ｍ)を全周に亘って帯状に連設すると共に、当該通水用部(Ｍ)の連設的形成を、上記透水性を有する合成樹脂製のネット状フィルム材を、ポット主体部(Ａ)の下周縁から底部部材(Ｎ)の全体に至るまでを一括して重合させることに依って形成するように構成し、更に、その全体が扁平折り畳み状態に保持されるように構成した植木用ポット。
【請求項３】
矩形状を呈する合成樹脂製フィルム材で無底の袋状に形成したポット主体部(Ｌ)と、山型状に内側に折り込まれた底部形成用マチ部(15)を具えたポットの底部形成用たる合成樹脂製フィルム材製の底部部材(Ｎ)との間に、透水性を有する合成樹脂製のネット状フィルム材で製した通水用部(Ｍ)が帯状に形成されるように構成すると共に、その両側縁部分において扁平状に折畳んだ状態で安定させるように構成し、更に、当該底部部材(Ｎ)をそのマチ部(15)を開いて底面を形成した際に、上記通水用部(Ｍ)が、当該底面よりやや上方に位置するように構成した植木用ポット。
【請求項４】
ポット主体部(Ｌ)と、通水用部(Ｍ)と、底部部材(Ｎ)とを熱溶着に基き接合するようにした請求項１または請求項３の何れかに記載の植木用ポット。
【請求項５】
ポット主体部(Ｌ)と、通水用部(Ｍ)と、底部部材(Ｎ)とを、夫々前面側部分を構成する部材と背面側部分を構成する部材との２枚合せ状に構成すると共に、これらの各両側縁部分を熱溶着に基き接合することによって、当該熱溶着部分の固化性に基き、その全体が扁平状態化での安定が図られるように構成した請求項１乃至請求項４の何れかに記載の植木用ポット。
【請求項６】
全体を黒色或いは黒緑色のような暗色とするように構成した請求項１乃至請求項５の何れかに記載の植木用ポット。
【請求項７】
通水用部(Ｍ)として、延伸したフィルムから製造した割繊網状体を縦・横方向に配列した特殊不織布であるワリフ（登録商標）で形成するように構成した請求項１乃至請求項６の何れかに記載の植木用ポット。
【請求項８】
ポット主体部(Ｌ)における正面部と背面部の上縁中央部分に、前後対称的に取っ手（17）を付設するように構成した請求項１乃至請求項７の何れかに記載の植木用ポット。
【請求項９】
複数のポット主体(Ｌ)をその側縁部に於いて連結することによって、複数の植木用ポットを連設状態で形成するように構成した請求項１乃至請求項８の何れかに記載の植木用ポット。
【考案の詳細な説明】
【技術分野】
【０００１】
本考案は、育苗、野菜、草木、花など各種の植木を植えておくためポットに関するものである。
【背景技術】
【０００２】
従来、植木用ボットとしては、有底円筒状のもの、若しくは、有底箱状のもの、或いは、多数のポットを縦横に結合した形態のもの等、各種のものが存在する。  然し乍、何れも立体形状を具えたものであり、扁平化することが出来ないものであった。
【０００３】
このような立体形状のものであると、植木用ポットとしての保管管理に広いスペースを要し、輸送上及び販売上において、著しい負担性を生じさせることを余儀なくされた。
【０００４】
上記のような問題を解決し扁平化可能とするように構成した実用新案登録「植木用ポット」が存在する（特許文献１参照。）。  これは本願と考案者及び出願人を同一とするものである。
【０００５】
そして、これは図７に示すように、正面部材１と、当該正面部材１と等しい大きさを具えた背面部材２とを合致させると共に、その合致両側縁において熱溶着に基く接合縁３を形成して成る合成樹脂製フィルム材で構成したポット主体部Ａの下縁に対して、当該ポット主体Ａの下縁全周に亙って垂下連設するための垂下周面部分４と、当該垂下周面部分４の下縁に連なり山型状に内側に折り込まれた底部形成用マチ部（これは図示のような使用状態にあっては、拡げられてポットの底部分としての役割を果たすものであり、そのため、図面に於いて底部に隠れているため図示されていない）とから成るポットの底部形成用たる透水性を有する合成樹脂製ネット状フィルム材で製した底部部材Ｂを、熱溶着に基き接合するように構成したものである。
【０００６】
上記のように構成した植木用ボットの場合、扁平化可能とする形態であるため、上述したような「立体形状を具えたポット」の場合に生じた、「保管管理に広いスペースを要し、輸送上及び販売上において、著しい負担性を生じさせる」というような問題は解消化される。  そして、底面を含む底部寄り部分全体が、合成樹脂製ネット状フィルム材で製した底部部材Ｂとしてあるため、水捌けの著しい良化性が図られている。
【０００７】
【特許文献１】実用新案登録第３１６３１０５号公報
【考案の開示】
【考案が解決しようとする課題】
【０００８】
上記特許文献に記載された「植木用ポット」の場合、これ自体には実用上何等の問題が生じるものではなく、その扁平化可能とするユニークな形態は保管管理上極めて優れた特性を発揮する。  そして、底面を含む底部全体が透水性を奏するため、水捌けの良化が図られ、植設した植物に対する根腐され等の防止に大きく貢献するものである。
【０００９】
然し乍、その透水性の良さという利点が、使用形態によっては欠点となってしまうことが判明した。  すなわち、水遣りに伴い、ポットの底面は常に濡れた状態となっているため、水遣り直後にはこれが流れ出してしまうと言うような事態が生じることもある。
【００１０】
すなわち、台上または棚上等に直接載置していた場合、流れ出した水で載置部分を濡らしてしまうと言うような事態を招いてしまう。  従って、これを防止するためには受け皿が必要とされる。  然し乍、例えば業務上の植木陳列のような場合、全ての植木に受け皿を敷くことは煩雑かつ陳列コストが掛かってしまうと言うような問題を生させてしまうこととなる。
【００１１】
本考案は、このような従来の問題点を解消することが出来るようなタイプに改良した植木用ポットの提供を図ったものである。
【課題を解決するための手段】
【００１２】
本考案は請求項１に記載のように、矩形状を呈する合成樹脂製フィルム材で無底の袋状に形成したポット主体部Ａの下周縁と、山型状に内側に折り込まれた底部形成用マチ部15を具えたポットの底部形成用たる合成樹脂製フィルム材製の底部部材Ｎの上周縁との間に、透水性を有する合成樹脂製のネット状フィルム材で製した通水用部Ｍを全周に亘って帯状に連設すると共に、その全体が扁平折り畳み状態に保持されるように構成した植木用ポットに係る。
【００１３】
本考案は請求項２に記載のように、矩形状を呈する合成樹脂製フィルム材で無底の袋状に形成したポット主体部Ａの下周縁と、山型状に内側に折り込まれた底部形成用マチ部15を具えたポットの底部形成用たる合成樹脂製フィルム材製の底部部材Ｎの上周縁との間に、透水性を有する合成樹脂製のネット状フィルム材で製した通水用部Ｍを全周に亘って帯状に連設すると共に、当該通水用部Ｍの連設的形成を、上記透水性を有する合成樹脂製のネット状フィルム材を、ポット主体部Ａの下周縁から底部部材Ｎの全体に至るまでを一括して重合させることに依って形成するように構成し、更に、その全体が扁平折り畳み状態に保持されるように構成した植木用ポットに係る。
【００１４】
本考案は請求項３に記載のように、矩形状を呈する合成樹脂製フィルム材で無底の袋状に形成したポット主体部Ｌと、山型状に内側に折り込まれた底部形成用マチ部15を具えたポットの底部形成用たる合成樹脂製フィルム材製の底部部材Ｎとの間に、透水性を有する合成樹脂製のネット状フィルム材で製した通水用部Ｍが帯状に形成されるように構成すると共に、その両側縁部分において扁平状に折畳んだ状態で安定させるように構成し、更に、当該底部部材Ｎをそのマチ部15を開いて底面を形成した際に、上記通水用部Ｍが、当該底面よりやや上方に位置するように構成した植木用ポットに係る。
【００１５】
本考案は請求項４に記載のように、ポット主体部Ｌと、通水用部Ｍと、底部部材Ｎとを熱溶着に基き接合するようにした請求項１または請求項３の何れかに記載の植木用ポットを実施の態様とする。
【００１６】
本考案は請求項５に記載のように、ポット主体部Ｌと、通水用部Ｍと、底部部材Ｎとを、夫々前面側部分を構成する部材と背面側部分を構成する部材との２枚合せ状に構成すると共に、これらの各両側縁部分を熱溶着に基き接合することによって、当該熱溶着部分の固化性に基き、その全体が扁平状態化での安定が図られるように構成した請求項１乃至請求項４の何れかに記載の植木用ポットを実施の態様とする。
【００１７】
本考案は請求項６に記載のように、全体を黒色或いは黒緑色のような暗色とするように構成した請求項１乃至請求項５の何れかに記載の植木用ポットを実施の態様とする。
【００１８】
本考案は請求項７に記載のように、通水用部Ｍとして、延伸したフィルムから製造した割繊網状体を縦・横方向に配列した特殊不織布であるワリフ（登録商標）で形成するように構成した請求項１乃至請求項６の何れかに記載の植木用ポットを実施の態様とする。
【００１９】
本考案は請求項８に記載のように、ポット主体部Ｌにおける正面部と背面部の上縁中央部分に、前後対称的に取っ手17を付設するように構成した請求項１乃至請求項７の何れかに記載の植木用ポットを実施の態様とする。
【００２０】
本考案は請求項９に記載のように、複数のポット主体Ｌをその側縁部に於いて連結することによって、複数の植木用ポットを連設状態で形成するように構成した請求項１乃至請求項８の何れかに記載の植木用ポットを実施の態様とする。
【考案の効果】
【００２１】
本考案に係るポットは請求項１に記載のような構成、すなわち、矩形状を呈する合成樹脂製フィルム材で無底の袋状に形成したポット主体部Ａの下周縁と、山型状に内側に折り込まれた底部形成用マチ部15を具えたポットの底部形成用たる合成樹脂製フィルム材製の底部部材Ｎの上周縁との間に、透水性を有する合成樹脂製のネット状フィルム材で製した通水用部Ｍを全周に亘って帯状に連設すると共に、その全体が扁平折り畳み状態に保持されるように構成したから、ポット製品そのものがフィルム製のため扁平状態から更に折畳んだ状態等極めてコンパクト化された状態で、輸送、販売、展示等を行うことが出来る。  従って、従来のように立体形状を保った状態で取扱われていたポットに比して、その管理が著しく容易にしてかつ省スペース的に達成されることとなる。
【００２２】
更に、本考案に係るポットは上述したように扁平化、折畳化可能とするものであるから、従来には全く考えられなかった例えば雑誌の折込み付録的利用も可能化されることとなる。  同時に本考案は、高価な製造用型枠などを用いことなく、単なる裁断及び熱溶着作業で製造可能とするものであるから、その製造の容易性に基き製品コストの著しい廉価性が図られる。
【００２３】
更に、ネット状フィルム材で製した通水用部Ｍの存在に基き、水捌けが良く、植物の栽培で一番難しいとされる水の管理が極めて良好に達成される。  また、当該通水用部Ｍは底部部材Ｎの上方に設けたものであるため、本考案に係るポットは底部から鑓水が漏れ出してしまうようなことがなく、従って、テーブル上等に直接載置しても当該テーブルの表面を濡らしてしまうと言うような事態を招くことが無い。
【００２４】
そして、載置時において、底部が設置場所に応じて変形するため（設置場所に凹凸が存在してもこれにフィットするような変形が自然に行われるため）、その載置状態の顕著な安定化が図られると共に、その低重心性からも載置状態での安定性確保が図られるため、従来の立体状植木ポットに比して強風や不安定な設置場所であっても倒れ難にくいと言うような卓越した作用効果を奏することとなる。
【００２５】
そして、本考案に係るポットは、ポット主体部Ｌ及び底部部材Ｎが合成樹脂製フィルム材で形成したものであるため、熱伝導性に優れ、土中内温度が高められるため、植木、野菜等の成長を促進、或いは寒冷地における凍結等の問題を解消させることが出来る。  同時に、このように合成樹脂製フィルム材で形成したものであるため、その表面が滑面とされ、従って、虫などが当該表面を伝わって入り込むようなことが阻止される。
【００２６】
上記のような構成を具えた本考案に依れば、その軽便性に基き、マンションのベランダ、家庭の玄関先、物干し場等、半日以上日当たりのよい場所であれば、簡易に植物を栽培することが出来、従って、このような場所で家庭菜園としての育成を行うことにより、新鮮な野菜を食べる喜びを味わうことが、極めて容易かつ簡易に達成される。
【００２７】
本考案に係るポットは請求項２に記載のような構成、すなわち、矩形状を呈する合成樹脂製フィルム材で無底の袋状に形成したポット主体部Ａの下周縁と、山型状に内側に折り込まれた底部形成用マチ部15を具えたポットの底部形成用たる合成樹脂製フィルム材製の底部部材Ｎの上周縁との間に、透水性を有する合成樹脂製のネット状フィルム材で製した通水用部Ｍを全周に亘って帯状に連設すると共に、当該通水用部Ｍの連設的形成を、上記透水性を有する合成樹脂製のネット状フィルム材を、ポット主体部Ａの下周縁から底部部材Ｎの全体に至るまでを一括して重合させることに依って形成するように構成し、更に、その全体が扁平折り畳み状態に保持されるように構成したから、請求項１の場合と同様な作用効果を奏することとなる。
【００２８】
同時に、通水用部Ｍの連設的形成を、上記透水性を有する合成樹脂製のネット状フィルム材を、ポット主体部Ａの下周縁から底部部材Ｎの全体に至るまでを一括して重合させることに依って形成するように構成したから、通水用部Ｍの形成が安定した状態で形成されると同時に、底部部材Ｎ二重構造とされるため、強度的向上化が図られる。
【００２９】
本考案に係るポットは請求項３に記載のような構成、すなわち、矩形状を呈する合成樹脂製フィルム材で無底の袋状に形成したポット主体部Ｌと、山型状に内側に折り込まれた底部形成用マチ部15を具えたポットの底部形成用たる合成樹脂製フィルム材製の底部部材Ｎとの間に、透水性を有する合成樹脂製のネット状フィルム材で製した通水用部Ｍが帯状に形成されるように構成すると共に、その両側縁部分において扁平状に折畳んだ状態で安定させるように構成し、更に、当該底部部材Ｎをそのマチ部15を開いて底面を形成した際に、上記通水用部Ｍが、当該底面よりやや上方に位置するように構成したから、請求項１の場合と同様な作用効果を奏することとなる。
【００３０】
また、底部部材Ｎには山型状に内側に折り込まれた底部形成用マチ部15を具えたものとするように構成したから、当該マチ部15を開くことにより、広さが充分な底面を備えたポットを構成することが出来、かっ、このように広い面積である底面部全体が合成樹脂フィルム材で製されているため、良好なる防水作用を奏し、水遣りした際に、これが底面から漏れ出してしまうような事態発生を未然に防ぐこととなる。
【００３１】
更に、上記した底部部材Ｎの上方に通水用部Ｍを連設すると共に、当該通水用部Ｍが底部部材Ｎの底面よりやや上方に位置するように構成したから、水遣りした際、余剰水分は底部部材Ｎで蓄え水として受け止められ、直接流出してしまうことを阻止する。  そして、これは植物によって次第に吸収されると共に、地表からも蒸発するが、上記蓄え水があまりにも多量な場合は通水用部Ｍから蒸発させられ、当該蓄え水が根に悪影響を及ぼすことを未然に防止することとなる。  換言すれば、底面部分には水の蓄え作用が奏されるも、根は水分を求めて伸びてゆき、根の先端部分より養分を吸収すると共に、上部の水分が少なくなった際には、当該底部部材Ｎ内の部分が、ポット主体部Ｌに対する水を供給するための調節池のような働きを奏することとなる。
【００３２】
本考案に係るポットは請求項４に記載のような構成、すなわち、ポット主体部Ｌと、通水用部Ｍと、底部部材Ｎとを熱溶着に基き接合するようにしたから、その製造は極めて容易かつ自動的に行うことが可能化される。
【００３３】
本考案に係るポットは請求項５に記載のような構成、すなわち、ポット主体部Ｌと、通水用部Ｍと、底部部材Ｎとを、夫々前面側部分を構成する部材と背面側部分を構成する部材との２枚合せ状に構成すると共に、これらの各両側縁部分を熱溶着に基き接合することによって、当該熱溶着部分の固化性に基き、その全体が扁平状態化での安定が図られるように構成したから、当該扁平状態化での安定化と共に、これを立体化させた際の両側縁部部分での補強的目的が達成されることとなる。
【００３４】
換言すると当該熱溶着はポット形成上の接合を司ると同時に、扁平状態での安定化と、ポットとして立体化させた際の補強化（接合線は熱溶着に基き形成したものであるから、硬化することにより補強性が高められる。）の達成に貢献することとなる。
【００３５】
本考案に係るポットは請求項６に記載のような構成、すなわち、全体を黒色或いは黒緑色のような暗色とするように構成することにより、全体が合成樹脂製フィルム材で形成したものであるための熱伝導性の良性に加えて、これが黒色或いは黒緑色のような暗色であることに基き、太陽熱の吸収がより一層向上化され、ポット内の温度を高くすることが出来る。  従って、植木、野菜等の成長を促進、或いは寒冷地における凍結等の問題を解消がより一層高められることとなる。
【００３６】
本考案に係るポットは請求項７に記載のような構成、すなわち、通水用部Ｍとして、延伸したフィルムから製造した割繊網状体を縦・横方向に配列した特殊不織布であるワリフ（登録商標）で形成するように構成したから、植木用ポットとして通水性、通気性、柔軟性を損なうことなく強靭性を具えたものとされる。
【００３７】
本考案に係るポットは請求項８に記載のような構成、すなわち、ポット主体部Ｌにおける正面部と背面部の上縁中央部分に、前後対称的に取っ手17を付設するように構成することにより、その携行または移動の操作が、当該取っ手７を把持することによって極めて容易かつ簡便に行われることとなる。
【００３８】
本考案に係るポットは請求項９に記載のような構成、すなわち、複数のポット主体Ｌをその側縁部に於いて連結することによって、複数の植木用ポットを連設状態で形成するように構成することにより、複数のポットに対する一括的移動等、その管理の容易化及び迅速化を図ることが出来ると同時に、整然たる並び状態の確保が容易化される。
【考案を実施するための最良の形態】
【００３９】
図２及び図３は本考案の実施例を表したものであって、本考案はその全体を扁平化可能とする袋状に形成したものである。  なお、図３の断面図は、分かり易くするためにやや開いた状態としてあるが、実際には一枚のシート状を呈するように密着的合致化状態に保たれているものである。
【００４０】
Ｌは矩形状を呈する合成樹脂製フィルム材で形成したポット主体部であって、前面部材10と、当該前面部材10と等しい大きさを具えた背面部材12とを、両者合致させると共に、その重合側縁に於いて熱溶着に基く接合縁13を形成することによって、重合状態での安定化が図られ、無底の袋状形態を呈するように構成してある。
【００４１】
Ｍは通水用部であって、ポット主体部Ｌの下縁に対して帯状に連設してある。  そして、当該通水用部Ｍは、通水性を具えた合成樹脂製ネット材、例えば  多数のモノフィラメント状の合成樹脂製線条を交差して一体化した伸縮自在な網目を有する網材で形成することを原則とする。  そして、当該通水用部Ｍの縦幅は３センチメートル程度のものが望ましいが、これはポット全体の大きさを考慮して任意に設定するものとする。
【００４２】
ところで、上記した通水用部Ｍであるが、上述したような単なる網材で形成する以外、延伸したフィルムから製造した割繊網状体を縦・横方向に配列した特殊不織布である「ワリフ（登録商標）」を用いても良い。  すなわち、当該「ワリフ（登録商標）」とは、新日石プラスト社が商標を所有する商品であり、延伸したフィルムから製造した割繊網状体を縦・横方向に配列した特殊不織布で、メッシュ構造で高い通気性と強度を有している。  そして、そのメッシュ構造に基づき「薄くて軽量、通気性が良い」、「縦・横ともに高強度でバランスがよく、腰が強い」、「目ズレがなく定形性に優れている」、「他素材との組合せなど加工性に優れている」、「滞水、耐薬品性に優れている」と言うような特性を備えた素材である。  従って、このような「ワリフ」を用いることにより、植木用ポットとして通水性、通気性、柔軟性を損なうことなく強靭性を具えたものとされる。  本考案はこのようなワリフ（登録商標）を用いて実施する場合もある。
【００４３】
Ｎはポットの底部を形成するための底部部材であって、上記したポット主体部Ｌと同一資材で形成したものである。  そして、当該底部部材Ｍは、上記帯状通水部Ｍの下縁に対して、その全周に亙って垂下連設されるように熱溶着14ａした垂下周面部分1４と、当該垂下周面部分14の下縁に連なり山型状に内側に織り込まれた底部形成用マチ部15とから成るものである。  なお、当該底部部材Ｎをそのマチ部15を開いて底面を形成した際に、上記通水用部Ｍは当該底面よりやや上方に位置するように構成してある。  なお、その高さ位置はポット全体の大きさに基き適宜に設定するものである。
【００４４】
そして、当該底部部材Ｎは扁平状態に於いてその両側部を、前述したポット主体部Ｌに形成されている熱溶着に基く接合縁13と一直線状を呈するような熱溶着に基く接合縁16を形成しておくことにより、扁平化状態での合致安定性が図られるように構成してある。
【００４５】
なお、当該接合縁16の形成は、当該底部部材Ｎを２枚のフィルム材を重ね合わせて形成した場合は、両者の接合目的が主たるものとされるが、同時に、このような溶着に基く接合縁13及び接合縁16の形成に基き（接合部は溶着に基く固化状態とされる）、前記した扁平化状態での合致安定性確保と、立体化させた際の側部縦中心線部分での補強目的（背骨的補強性が得られる）が達成されるように構成してある。
【００４６】
ところで、前述した通水用部Ｍの形成手段であるが、上述した実施例にあっては図２及び図３に示すように、該当部分だけに通水性を具えた合成樹脂製ネット材を部分的に設けるように構成してある。  然し乍、図４に示すように、当該通水用部Ｍの連設的形成を、上記透水性を有する合成樹脂製のネット状フィルム材を、ポット主体部Ａの下周縁から底部部材Ｎの全体に至るまでを一括して重合させることに依って形成するように構成してもよい。  このような形態をとることに依り、通水用部Ｍの製造上の安定的形成が可能化されると同時に、底部部材Ｎに対する補強的効果が図られる。
【００４７】
そして、本考案に係るポットは、これを構成するポット主体部Ａと底部部材Ｂの色彩を、黒色或いは黒緑色のような暗色とすることにより、太陽熱の吸収を高めポット内の温度を上昇させ、植木、野菜等の成長を促進、或いは寒冷地における凍結等の問題を解消させることが出来る。  本考案はこのような形態で実施することが好ましい。
【００４８】
本考案は保管時または輸送時等、ポットとして使用前にあっては、図２及び図３に示すような扁平状態に保っておく。  そして、使用に際しては図１に示すように開くことによって所要量の植木用土の収容が果たされ、目的とする植物の植え込みが行われる。  そして、この状態にあっては、マチ部15は殆ど水平状となるように開かれ、ポットの底面として機能することとなる。
【００４９】
図５は本考案の第２の実施例を表したものであって、これは、ポット主体部Ｌにおける正面部と背面部の上縁中央部分に、前後対称的に取っ手17を付設するように構成したものである。  これにより本考案に係るポットは、その携行または移動の操作が、当該取っ手17を把持することによって極めて容易かつ簡便に行われることとなる。
【００５０】
図６は本考案の第３の実施例を表したものであって、これは、複数のポットをその側縁部分に於いて連結することによって、複数の植木用ポットを連設状態で形成するように構成したものである。  そして、当該接合であるが、これはポット主体Ｌの接合縁13部分で溶着連結することを原則とするが、同時に通水用部Ｍ及び底部部材Ｎにおける垂下周面部分14に設けた接合縁部分まで一括して溶着連結するように構成してもよい。  この場合、底部形成用マチ部15の拡開を妨げないように留意することが必要である。
【００５１】
上記の構成を採用することにより、本考案に係るポットは、連続状態にある複数のポットの一括的移動等、その管理の容易化及び迅速化が図られると同時に、整列状態の確保が容易化されることとなる。  なお、図５に示す実施例にあっては、二個のポット主体Ｌを連結したものを示してあるが、当ポット主体Ｌを三つ以上一括的に連結（一連連結）するような形態で実施することも可能である。
【図面の簡単な説明】
【００５２】
【図１】本考案の使用状態を表した説明用斜視図である。
【図２】本考案の正面図である。
【図３】図２におけるＸ−Ｘ線拡大断面図である。
【図４】通水用部Ｍの他の形成形態を表した拡大断面図である。
【図５】本考案の第２の実施例を表した正面図である。
【図６】本考案の第３の実施例を表した正面図である。
【図７】従来例を表した説明用斜視図である。
【符号の説明】
【００５３】
Ｌ  ポット主体部
10  前面部材
12  背面部材
13  接合縁
Ｍ  通水用部
Ｎ  底部部材
14  垂下周面部分
14ａ熱溶着
15  底部形成用マチ部
16  接合縁
17  取っ手
【図１】
0003172152.tif 000003
【図２】
0003172152.tif 000004
【図３】
0003172152.tif 000005
【図４】
0003172152.tif 000006
【図５】
0003172152.tif 000007
【図６】
0003172152.tif 000008
【図７】
0003172152.tif 000009
【手続補正書】
【提出日】平成23年10月11日(2011.10.11)
【手続補正１】
【補正対象書類名】実用新案登録請求の範囲
【補正対象項目名】全文
【補正方法】変更
【補正の内容】
【実用新案登録請求の範囲】
【請求項１】
矩形状を呈する合成樹脂製フィルム材で無底の袋状に形成したポット主体部(L)の下周縁と、山型状に内側に折り込まれた底部形成用マチ部(15)を具えたポットの底部形成用たる合成樹脂製フィルム材製の底部部材(Ｎ)の上周縁との間に、透水性を有する合成樹脂製のネット状フィルム材で製した通水用部(Ｍ)を全周に亘って帯状に連設すると共に、その全体が扁平折り畳み状態に保持されるように構成した植木用ポット。
【請求項２】
矩形状を呈する合成樹脂製フィルム材で無底の袋状に形成したポット主体部(L)の下周縁と、山型状に内側に折り込まれた底部形成用マチ部(15)を具えたポットの底部形成用たる合成樹脂製フィルム材製の底部部材(Ｎ)の上周縁との間に、透水性を有する合成樹脂製のネット状フィルム材で製した通水用部(Ｍ)を全周に亘って帯状に連設すると共に、当該通水用部(Ｍ)の連設的形成を、上記透水性を有する合成樹脂製のネット状フィルム材を、ポット主体部(Ａ)の下周縁から底部部材(Ｎ)の全体に至るまでを一括して重合させることに依って形成するように構成し、更に、その全体が扁平折り畳み状態に保持されるように構成した植木用ポット。
【請求項３】
矩形状を呈する合成樹脂製フィルム材で無底の袋状に形成したポット主体部(Ｌ)と、山型状に内側に折り込まれた底部形成用マチ部(15)を具えたポットの底部形成用たる合成樹脂製フィルム材製の底部部材(Ｎ)との間に、透水性を有する合成樹脂製のネット状フィルム材で製した通水用部(Ｍ)が帯状に形成されるように構成すると共に、上記底部部材(Ｎ)をそのマチ部(15)を開いて底面を形成した際に、上記通水用部(Ｍ)が、当該底面よりやや上方に位置するように構成した植木用ポット。
【請求項４】
ポット主体部(Ｌ)と、通水用部(Ｍ)と、底部部材(Ｎ)とを熱溶着に基き接合するようにした請求項１または請求項３の何れかに記載の植木用ポット。
【請求項５】
ポット主体部(Ｌ)と、通水用部(Ｍ)と、底部部材(Ｎ)とを、夫々前面側部分を構成する部材と背面側部分を構成する部材との２枚合せ状に構成すると共に、これらの各両側縁部分を熱溶着に基き接合することによって、当該熱溶着部分の固化性に基き、その全体が扁平状態化での安定が図られるように構成した請求項１乃至請求項４の何れかに記載の植木用ポット。
【請求項６】
全体を黒色或いは黒緑色のような暗色とするように構成した請求項１乃至請求項５の何れかに記載の植木用ポット。
【請求項７】
通水用部(Ｍ)として、延伸したフィルムから製造した割繊網状体を縦・横方向に配列した特殊不織布であるワリフ（登録商標）で形成するように構成した請求項１乃至請求項６の何れかに記載の植木用ポット。
【請求項８】
ポット主体部(Ｌ)における正面部と背面部の上縁中央部分に、前後対称的に取っ手（17）を付設するように構成した請求項１乃至請求項７の何れかに記載の植木用ポット。
【請求項９】
複数のポット主体(Ｌ)をその側縁部に於いて連結することによって、複数の植木用ポットを連設状態で形成するように構成した請求項１乃至請求項８の何れかに記載の植木用ポット。
【手続補正２】
【補正対象書類名】明細書
【補正対象項目名】全文
【補正方法】変更
【補正の内容】
【考案の詳細な説明】
【技術分野】
【０００１】
本考案は、育苗、野菜、草木、花など各種の植木を植えておくためポットに関するものである。
【背景技術】
【０００２】
従来、植木用ボットとしては、有底円筒状のもの、若しくは、有底箱状のもの、或いは、多数のポットを縦横に結合した形態のもの等、各種のものが存在する。  然し乍、何れも立体形状を具えたものであり、扁平化することが出来ないものであった。
【０００３】
このような立体形状のものであると、植木用ポットとしての保管管理に広いスペースを要し、輸送上及び販売上において、著しい負担性を生じさせることを余儀なくされた。
【０００４】
上記のような問題を解決し扁平化可能とするように構成した実用新案登録「植木用ポット」が存在する（特許文献１参照。）。  これは本願と考案者及び出願人を同一とするものである。
【０００５】
そして、これは図７に示すように、正面部材１と、当該正面部材１と等しい大きさを具えた背面部材２とを合致させると共に、その合致両側縁において熱溶着に基く接合縁３を形成して成る合成樹脂製フィルム材で構成したポット主体部Ａの下縁に対して、当該ポット主体Ａの下縁全周に亙って垂下連設するための垂下周面部分４と、当該垂下周面部分４の下縁に連なり山型状に内側に折り込まれた底部形成用マチ部（これは図示のような使用状態にあっては、拡げられてポットの底部分としての役割を果たすものであり、そのため、図面に於いて底部に隠れているため図示されていない）とから成るポットの底部形成用たる透水性を有する合成樹脂製ネット状フィルム材で製した底部部材Ｂを、熱溶着に基き接合するように構成したものである。
【０００６】
上記のように構成した植木用ボットの場合、扁平化可能とする形態であるため、上述したような「立体形状を具えたポット」の場合に生じた、「保管管理に広いスペースを要し、輸送上及び販売上において、著しい負担性を生じさせる」というような問題は解消化される。  そして、底面を含む底部寄り部分全体が、合成樹脂製ネット状フィルム材で製した底部部材Ｂとしてあるため、水捌けの著しい良化性が図られている。
【０００７】
【特許文献１】実用新案登録第３１６３１０５号公報
【考案の開示】
【考案が解決しようとする課題】
【０００８】
上記特許文献に記載された「植木用ポット」の場合、これ自体には実用上何等の問題が生じるものではなく、その扁平化可能とするユニークな形態は保管管理上極めて優れた特性を発揮する。  そして、底面を含む底部全体が透水性を奏するため、水捌けの良化が図られ、植設した植物に対する根腐され等の防止に大きく貢献するものである。
【０００９】
然し乍、その透水性の良さという利点が、使用形態によっては欠点となってしまうことが判明した。  すなわち、水遣りに伴い、ポットの底面は常に濡れた状態となっているため、水遣り直後にはこれが流れ出してしまうと言うような事態が生じることもある。
【００１０】
すなわち、台上または棚上等に直接載置していた場合、流れ出した水で載置部分を濡らしてしまうと言うような事態を招いてしまう。  従って、これを防止するためには受け皿が必要とされる。  然し乍、例えば業務上の植木陳列のような場合、全ての植木に受け皿を敷くことは煩雑かつ陳列コストが掛かってしまうと言うような問題を生させてしまうこととなる。
【００１１】
本考案は、このような従来の問題点を解消することが出来るようなタイプに改良した植木用ポットの提供を図ったものである。
【課題を解決するための手段】
【００１２】
本考案は請求項１に記載のように、矩形状を呈する合成樹脂製フィルム材で無底の袋状に形成したポット主体部Lの下周縁と、山型状に内側に折り込まれた底部形成用マチ部15を具えたポットの底部形成用たる合成樹脂製フィルム材製の底部部材Ｎの上周縁との間に、透水性を有する合成樹脂製のネット状フィルム材で製した通水用部Ｍを全周に亘って帯状に連設すると共に、その全体が扁平折り畳み状態に保持されるように構成した植木用ポットに係る。
【００１３】
本考案は請求項２に記載のように、矩形状を呈する合成樹脂製フィルム材で無底の袋状に形成したポット主体部Lの下周縁と、山型状に内側に折り込まれた底部形成用マチ部15を具えたポットの底部形成用たる合成樹脂製フィルム材製の底部部材Ｎの上周縁との間に、透水性を有する合成樹脂製のネット状フィルム材で製した通水用部Ｍを全周に亘って帯状に連設すると共に、当該通水用部Ｍの連設的形成を、上記透水性を有する合成樹脂製のネット状フィルム材を、ポット主体部Ａの下周縁から底部部材Ｎの全体に至るまでを一括して重合させることに依って形成するように構成し、更に、その全体が扁平折り畳み状態に保持されるように構成した植木用ポットに係る。
【００１４】
本考案は請求項３に記載のように、矩形状を呈する合成樹脂製フィルム材で無底の袋状に形成したポット主体部Ｌと、山型状に内側に折り込まれた底部形成用マチ部15を具えたポットの底部形成用たる合成樹脂製フィルム材製の底部部材Ｎとの間に、透水性を有する合成樹脂製のネット状フィルム材で製した通水用部Ｍが帯状に形成されるように構成すると共に、上記底部部材Ｎをそのマチ部15を開いて底面を形成した際に、上記通水用部Ｍが、当該底面よりやや上方に位置するように構成した植木用ポットに係る。
【００１５】
本考案は請求項４に記載のように、ポット主体部Ｌと、通水用部Ｍと、底部部材Ｎとを熱溶着に基き接合するようにした請求項１または請求項３の何れかに記載の植木用ポットを実施の態様とする。
【００１６】
本考案は請求項５に記載のように、ポット主体部Ｌと、通水用部Ｍと、底部部材Ｎとを、夫々前面側部分を構成する部材と背面側部分を構成する部材との２枚合せ状に構成すると共に、これらの各両側縁部分を熱溶着に基き接合することによって、当該熱溶着部分の固化性に基き、その全体が扁平状態化での安定が図られるように構成した請求項１乃至請求項４の何れかに記載の植木用ポットを実施の態様とする。
【００１７】
本考案は請求項６に記載のように、全体を黒色或いは黒緑色のような暗色とするように構成した請求項１乃至請求項５の何れかに記載の植木用ポットを実施の態様とする。
【００１８】
本考案は請求項７に記載のように、通水用部Ｍとして、延伸したフィルムから製造した割繊網状体を縦・横方向に配列した特殊不織布であるワリフ（登録商標）で形成するように構成した請求項１乃至請求項６の何れかに記載の植木用ポットを実施の態様とする。
【００１９】
本考案は請求項８に記載のように、ポット主体部Ｌにおける正面部と背面部の上縁中央部分に、前後対称的に取っ手17を付設するように構成した請求項１乃至請求項７の何れかに記載の植木用ポットを実施の態様とする。
【００２０】
本考案は請求項９に記載のように、複数のポット主体Ｌをその側縁部に於いて連結することによって、複数の植木用ポットを連設状態で形成するように構成した請求項１乃至請求項８の何れかに記載の植木用ポットを実施の態様とする。
【考案の効果】
【００２１】
本考案に係るポットは請求項１に記載のような構成、すなわち、矩形状を呈する合成樹脂製フィルム材で無底の袋状に形成したポット主体部Lの下周縁と、山型状に内側に折り込まれた底部形成用マチ部15を具えたポットの底部形成用たる合成樹脂製フィルム材製の底部部材Ｎの上周縁との間に、透水性を有する合成樹脂製のネット状フィルム材で製した通水用部Ｍを全周に亘って帯状に連設すると共に、その全体が扁平折り畳み状態に保持されるように構成したから、ポット製品そのものがフィルム製のため扁平状態から更に折畳んだ状態等極めてコンパクト化された状態で、輸送、販売、展示等を行うことが出来る。  従って、従来のように立体形状を保った状態で取扱われていたポットに比して、その管理が著しく容易にしてかつ省スペース的に達成されることとなる。
【００２２】
更に、本考案に係るポットは上述したように扁平化、折畳化可能とするものであるから、従来には全く考えられなかった例えば雑誌の折込み付録的利用も可能化されることとなる。  同時に本考案は、高価な製造用型枠などを用いことなく、単なる裁断及び熱溶着作業で製造可能とするものであるから、その製造の容易性に基き製品コストの著しい廉価性が図られる。
【００２３】
更に、ネット状フィルム材で製した通水用部Ｍの存在に基き、水捌けが良く、植物の栽培で一番難しいとされる水の管理が極めて良好に達成される。  また、当該通水用部Ｍは底部部材Ｎの上方に設けたものであるため、本考案に係るポットは底部から鑓水が漏れ出してしまうようなことがなく、従って、テーブル上等に直接載置しても当該テーブルの表面を濡らしてしまうと言うような事態を招くことが無い。
【００２４】
そして、載置時において、底部が設置場所に応じて変形するため（設置場所に凹凸が存在してもこれにフィットするような変形が自然に行われるため）、その載置状態の顕著な安定化が図られると共に、その低重心性からも載置状態での安定性確保が図られるため、従来の立体状植木ポットに比して強風や不安定な設置場所であっても倒れ難にくいと言うような卓越した作用効果を奏することとなる。
【００２５】
そして、本考案に係るポットは、ポット主体部Ｌ及び底部部材Ｎが合成樹脂製フィルム材で形成したものであるため、熱伝導性に優れ、土中内温度が高められるため、植木、野菜等の成長を促進、或いは寒冷地における凍結等の問題を解消させることが出来る。  同時に、このように合成樹脂製フィルム材で形成したものであるため、その表面が滑面とされ、従って、虫などが当該表面を伝わって入り込むようなことが阻止される。
【００２６】
上記のような構成を具えた本考案に依れば、その軽便性に基き、マンションのベランダ、家庭の玄関先、物干し場等、半日以上日当たりのよい場所であれば、簡易に植物を栽培することが出来、従って、このような場所で家庭菜園としての育成を行うことにより、新鮮な野菜を食べる喜びを味わうことが、極めて容易かつ簡易に達成される。
【００２７】
本考案に係るポットは請求項２に記載のような構成、すなわち、矩形状を呈する合成樹脂製フィルム材で無底の袋状に形成したポット主体部Lの下周縁と、山型状に内側に折り込まれた底部形成用マチ部15を具えたポットの底部形成用たる合成樹脂製フィルム材製の底部部材Ｎの上周縁との間に、透水性を有する合成樹脂製のネット状フィルム材で製した通水用部Ｍを全周に亘って帯状に連設すると共に、当該通水用部Ｍの連設的形成を、上記透水性を有する合成樹脂製のネット状フィルム材を、ポット主体部Ａの下周縁から底部部材Ｎの全体に至るまでを一括して重合させることに依って形成するように構成し、更に、その全体が扁平折り畳み状態に保持されるように構成したから、請求項１の場合と同様な作用効果を奏することとなる。
【００２８】
同時に、通水用部Ｍの連設的形成を、上記透水性を有する合成樹脂製のネット状フィルム材を、ポット主体部Ａの下周縁から底部部材Ｎの全体に至るまでを一括して重合させることに依って形成するように構成したから、通水用部Ｍの形成が安定した状態で形成されると同時に、底部部材Ｎ二重構造とされるため、強度的向上化が図られる。
【００２９】
本考案に係るポットは請求項３に記載のような構成、すなわち、矩形状を呈する合成樹脂製フィルム材で無底の袋状に形成したポット主体部Ｌと、山型状に内側に折り込まれた底部形成用マチ部15を具えたポットの底部形成用たる合成樹脂製フィルム材製の底部部材Ｎとの間に、透水性を有する合成樹脂製のネット状フィルム材で製した通水用部Ｍが帯状に形成されるように構成すると共に、上記底部部材Ｎをそのマチ部15を開いて底面を形成した際に、上記通水用部Ｍが、当該底面よりやや上方に位置するように構成したから、請求項１の場合と同様な作用効果を奏することとなる。
【００３０】
また、底部部材Ｎには山型状に内側に折り込まれた底部形成用マチ部15を具えたものとするように構成したから、当該マチ部15を開くことにより、広さが充分な底面を備えたポットを構成することが出来、かっ、このように広い面積である底面部全体が合成樹脂フィルム材で製されているため、良好なる防水作用を奏し、水遣りした際に、これが底面から漏れ出してしまうような事態発生を未然に防ぐこととなる。
【００３１】
更に、上記した底部部材Ｎの上方に通水用部Ｍを連設すると共に、当該通水用部Ｍが底部部材Ｎの底面よりやや上方に位置するように構成したから、水遣りした際、余剰水分は底部部材Ｎで蓄え水として受け止められ、直接流出してしまうことを阻止する。  そして、これは植物によって次第に吸収されると共に、地表からも蒸発するが、上記蓄え水があまりにも多量な場合は通水用部Ｍから蒸発させられ、当該蓄え水が根に悪影響を及ぼすことを未然に防止することとなる。  換言すれば、底面部分には水の蓄え作用が奏されるも、根は水分を求めて伸びてゆき、根の先端部分より養分を吸収すると共に、上部の水分が少なくなった際には、当該底部部材Ｎ内の部分が、ポット主体部Ｌに対する水を供給するための調節池のような働きを奏することとなる。
【００３２】
本考案に係るポットは請求項４に記載のような構成、すなわち、ポット主体部Ｌと、通水用部Ｍと、底部部材Ｎとを熱溶着に基き接合するようにしたから、その製造は極めて容易かつ自動的に行うことが可能化される。
【００３３】
本考案に係るポットは請求項５に記載のような構成、すなわち、ポット主体部Ｌと、通水用部Ｍと、底部部材Ｎとを、夫々前面側部分を構成する部材と背面側部分を構成する部材との２枚合せ状に構成すると共に、これらの各両側縁部分を熱溶着に基き接合することによって、当該熱溶着部分の固化性に基き、その全体が扁平状態化での安定が図られるように構成したから、当該扁平状態化での安定化と共に、これを立体化させた際の両側縁部部分での補強的目的が達成されることとなる。
【００３４】
換言すると当該熱溶着はポット形成上の接合を司ると同時に、扁平状態での安定化と、ポットとして立体化させた際の補強化（接合線は熱溶着に基き形成したものであるから、硬化することにより補強性が高められる。）の達成に貢献することとなる。
【００３５】
本考案に係るポットは請求項６に記載のような構成、すなわち、全体を黒色或いは黒緑色のような暗色とするように構成することにより、全体が合成樹脂製フィルム材で形成したものであるための熱伝導性の良性に加えて、これが黒色或いは黒緑色のような暗色であることに基き、太陽熱の吸収がより一層向上化され、ポット内の温度を高くすることが出来る。  従って、植木、野菜等の成長を促進、或いは寒冷地における凍結等の問題を解消がより一層高められることとなる。
【００３６】
本考案に係るポットは請求項７に記載のような構成、すなわち、通水用部Ｍとして、延伸したフィルムから製造した割繊網状体を縦・横方向に配列した特殊不織布であるワリフ（登録商標）で形成するように構成したから、植木用ポットとして通水性、通気性、柔軟性を損なうことなく強靭性を具えたものとされる。
【００３７】
本考案に係るポットは請求項８に記載のような構成、すなわち、ポット主体部Ｌにおける正面部と背面部の上縁中央部分に、前後対称的に取っ手17を付設するように構成することにより、その携行または移動の操作が、当該取っ手７を把持することによって極めて容易かつ簡便に行われることとなる。
【００３８】
本考案に係るポットは請求項９に記載のような構成、すなわち、複数のポット主体Ｌをその側縁部に於いて連結することによって、複数の植木用ポットを連設状態で形成するように構成することにより、複数のポットに対する一括的移動等、その管理の容易化及び迅速化を図ることが出来ると同時に、整然たる並び状態の確保が容易化される。
【考案を実施するための最良の形態】
【００３９】
図２及び図３は本考案の実施例を表したものであって、本考案はその全体を扁平化可能とする袋状に形成したものである。  なお、図３の断面図は、分かり易くするためにやや開いた状態としてあるが、実際には一枚のシート状を呈するように密着的合致化状態に保たれているものである。
【００４０】
Ｌは矩形状を呈する合成樹脂製フィルム材で形成したポット主体部であって、前面部材10と、当該前面部材10と等しい大きさを具えた背面部材12とを、両者合致させると共に、その重合側縁に於いて熱溶着に基く接合縁13を形成することによって、重合状態での安定化が図られ、無底の袋状形態を呈するように構成してある。
【００４１】
Ｍは通水用部であって、ポット主体部Ｌの下縁に対して帯状に連設してある。  そして、当該通水用部Ｍは、通水性を具えた合成樹脂製ネット材、例えば  多数のモノフィラメント状の合成樹脂製線条を交差して一体化した伸縮自在な網目を有する網材で形成することを原則とする。  そして、当該通水用部Ｍの縦幅は３センチメートル程度のものが望ましいが、これはポット全体の大きさを考慮して任意に設定するものとする。
【００４２】
ところで、上記した通水用部Ｍであるが、上述したような単なる網材で形成する以外、延伸したフィルムから製造した割繊網状体を縦・横方向に配列した特殊不織布である「ワリフ（登録商標）」を用いても良い。  すなわち、当該「ワリフ（登録商標）」とは、新日石プラスト社が商標を所有する商品であり、延伸したフィルムから製造した割繊網状体を縦・横方向に配列した特殊不織布で、メッシュ構造で高い通気性と強度を有している。  そして、そのメッシュ構造に基づき「薄くて軽量、通気性が良い」、「縦・横ともに高強度でバランスがよく、腰が強い」、「目ズレがなく定形性に優れている」、「他素材との組合せなど加工性に優れている」、「滞水、耐薬品性に優れている」と言うような特性を備えた素材である。  従って、このような「ワリフ」を用いることにより、植木用ポットとして通水性、通気性、柔軟性を損なうことなく強靭性を具えたものとされる。  本考案はこのようなワリフ（登録商標）を用いて実施する場合もある。
【００４３】
Ｎはポットの底部を形成するための底部部材であって、上記したポット主体部Ｌと同一資材で形成したものである。  そして、当該底部部材Ｍは、上記帯状通水部Ｍの下縁に対して、その全周に亙って垂下連設されるように熱溶着14ａした垂下周面部分1４と、当該垂下周面部分14の下縁に連なり山型状に内側に織り込まれた底部形成用マチ部15とから成るものである。  なお、当該底部部材Ｎをそのマチ部15を開いて底面を形成した際に、上記通水用部Ｍは当該底面よりやや上方に位置するように構成してある。  なお、その高さ位置はポット全体の大きさに基き適宜に設定するものである。
【００４４】
そして、当該底部部材Ｎは扁平状態に於いてその両側部を、前述したポット主体部Ｌに形成されている熱溶着に基く接合縁13と一直線状を呈するような熱溶着に基く接合縁16を形成しておくことにより、扁平化状態での合致安定性が図られるように構成してある。
【００４５】
なお、当該接合縁16の形成は、当該底部部材Ｎを２枚のフィルム材を重ね合わせて形成した場合は、両者の接合目的が主たるものとされるが、同時に、このような溶着に基く接合縁13及び接合縁16の形成に基き（接合部は溶着に基く固化状態とされる）、前記した扁平化状態での合致安定性確保と、立体化させた際の側部縦中心線部分での補強目的（背骨的補強性が得られる）が達成されるように構成してある。
【００４６】
ところで、前述した通水用部Ｍの形成手段であるが、上述した実施例にあっては図２及び図３に示すように、該当部分だけに通水性を具えた合成樹脂製ネット材を部分的に設けるように構成してある。  然し乍、図４に示すように、当該通水用部Ｍの連設的形成を、上記透水性を有する合成樹脂製のネット状フィルム材を、ポット主体部Ａの下周縁から底部部材Ｎの全体に至るまでを一括して重合させることに依って形成するように構成してもよい。  このような形態をとることに依り、通水用部Ｍの製造上の安定的形成が可能化されると同時に、底部部材Ｎに対する補強的効果が図られる。
【００４７】
そして、本考案に係るポットは、これを構成するポット主体部Ａと底部部材Ｂの色彩を、黒色或いは黒緑色のような暗色とすることにより、太陽熱の吸収を高めポット内の温度を上昇させ、植木、野菜等の成長を促進、或いは寒冷地における凍結等の問題を解消させることが出来る。  本考案はこのような形態で実施することが好ましい。
【００４８】
本考案は保管時または輸送時等、ポットとして使用前にあっては、図２及び図３に示すような扁平状態に保っておく。  そして、使用に際しては図１に示すように開くことによって所要量の植木用土の収容が果たされ、目的とする植物の植え込みが行われる。  そして、この状態にあっては、マチ部15は殆ど水平状となるように開かれ、ポットの底面として機能することとなる。
【００４９】
図５は本考案の第２の実施例を表したものであって、これは、ポット主体部Ｌにおける正面部と背面部の上縁中央部分に、前後対称的に取っ手17を付設するように構成したものである。  これにより本考案に係るポットは、その携行または移動の操作が、当該取っ手17を把持することによって極めて容易かつ簡便に行われることとなる。
【００５０】
図６は本考案の第３の実施例を表したものであって、これは、複数のポットをその側縁部分に於いて連結することによって、複数の植木用ポットを連設状態で形成するように構成したものである。  そして、当該接合であるが、これはポット主体Ｌの接合縁13部分で溶着連結することを原則とするが、同時に通水用部Ｍ及び底部部材Ｎにおける垂下周面部分14に設けた接合縁部分まで一括して溶着連結するように構成してもよい。  この場合、底部形成用マチ部15の拡開を妨げないように留意することが必要である。
【００５１】
上記の構成を採用することにより、本考案に係るポットは、連続状態にある複数のポットの一括的移動等、その管理の容易化及び迅速化が図られると同時に、整列状態の確保が容易化されることとなる。  なお、図５に示す実施例にあっては、二個のポット主体Ｌを連結したものを示してあるが、当ポット主体Ｌを三つ以上一括的に連結（一連連結）するような形態で実施することも可能である。
【図面の簡単な説明】
【００５２】
【図１】本考案の使用状態を表した説明用斜視図である。
【図２】本考案の正面図である。
【図３】図２におけるＸ−Ｘ線拡大断面図である。
【図４】通水用部Ｍの他の形成形態を表した拡大断面図である。
【図５】本考案の第２の実施例を表した正面図である。
【図６】本考案の第３の実施例を表した正面図である。
【図７】従来例を表した説明用斜視図である。
【符号の説明】
【００５３】
Ｌ  ポット主体部
10  前面部材
12  背面部材
13  接合縁
Ｍ  通水用部
Ｎ  底部部材
14  垂下周面部分
14ａ熱溶着
15  底部形成用マチ部
16  接合縁
17  取っ手